(57)【要約】【課題】  製造コストの低減及び使い勝手の向上を図る。【解決手段】  本体において設置状態が異なる二つのスタンドポジションと壁面に沿って配置される壁掛けポジションとが設定可能とされ、二つのスタンドポジションを設定するスタンド用ブラケットと壁掛けポジションを設定する壁掛け用ブラケットとが本体の同一面に選択的に取付可能とされ、本体に対するスタンド用ブラケットの取付向きが変更されてそれぞれ二つのスタンドポジジョンの設定が行われ、スタンド用ブラケットに、本体に取り付けられる複数の被取付部が設けられ、壁掛け用ブラケットに、本体に取り付けられる複数の被取付部が設けられ、スタンド用ブラケットの被取付部と壁掛け用ブラケットの被取付部との本体に対する取付位置が、二つのスタンドポジションと壁掛けポジションが設定される状態において何れも同一にされた。【選択図】        図１２
2012248750.tif 000002
【特許請求の範囲】
【請求項１】
本体において設置状態が異なる二つのスタンドポジションと壁面に沿って配置される壁掛けポジションとが設定可能とされ、
前記二つのスタンドポジションを設定するスタンド用ブラケットと前記壁掛けポジションを設定する壁掛け用ブラケットとが前記本体の同一面に選択的に取付可能とされ、
前記本体に対する前記スタンド用ブラケットの取付向きが変更されてそれぞれ前記二つのスタンドポジジョンの設定が行われ、
前記スタンド用ブラケットに、前記本体に取り付けられる複数の被取付部が設けられ、
前記壁掛け用ブラケットに、前記本体に取り付けられる複数の被取付部が設けられ、
前記スタンド用ブラケットの被取付部と前記壁掛け用ブラケットの被取付部との前記本体に対する取付位置が、前記二つのスタンドポジションと前記壁掛けポジションが設定される状態において何れも同一にされた
電子機器の取付構造。
【請求項２】
前記スタンド用ブラケットに、前記本体に接続されるケーブルを収納するケーブル収納部を形成した
請求項１に記載の電子機器の取付構造。
【請求項３】
前記スタンド用ブラケットの前記取付向きが変更されてそれぞれ前記二つのスタンドポジジョンの設定が行われるようにした
請求項１に記載の電子機器の取付構造。
【請求項４】
前記スタンド用ブラケットの前記取付向きが１８０°反対側の向きとされた
請求項３に記載の電子機器の取付構造。
【請求項５】
前記壁掛け用ブラケットに、前記本体に接続されるケーブルを収容するケーブル収容部を設けた
請求項１に記載の電子機器の取付構造。
【請求項６】
前記ケーブル収容部が所定の一方向へ延びる第１の直線部と前記第１の直線部に対して直交する方向へ延びる第２の直線部とによって十字状に形成された
請求項５に記載の電子機器の取付構造。
【請求項７】
前記壁面に取り付けられロック用突部を有する連結ベースが設けられ、
前記壁掛け用ブラケットにロック用係合部を有する被ロック片が設けられ、
前記本体に取り付けられた前記壁掛け用ブラケットが前記連結ベースに連結されて前記本体が前記壁掛けポジションに設定されると共に前記壁掛け用ブラケットの前記連結ベースに対する連結時に前記被ロック片のロック用係合部が前記ロック用突部に係合されて前記本体が前記壁掛けポジションに保持されるようにした
請求項１に記載の電子機器の取付構造。
【請求項８】
前記被ロック片が弾性変形可能とされ、
前記壁掛け用ブラケットが前記連結ベースに近付く第１の方向と前記第１の方向に直交する第２の方向とへ順に移動されることにより前記連結ベースに連結され、
前記壁掛け用ブラケットが前記第１の方向へ移動されたときに前記被ロック片が弾性変形され前記第２の方向へ移動されたときに前記被ロック片が弾性復帰されて前記被ロック片のロック用係合部が前記ロック用突部に係合されるようにした
請求項７に記載の電子機器の取付構造。
【請求項９】
前記壁掛け用ブラケットに結合され頭部と軸部を有する連結ネジを設け、
前記連結ベースに大径部と大径部より径が小さい小径部とが連続して形成された取付孔を形成し、
前記大径部が前記頭部の径より大きくされ前記小径部が前記頭部の径より小さく前記軸部の径より大きくされ、
前記壁掛け用ブラケットは前記連結ベースに近付く第１の方向へ移動されて前記連結ネジの頭部が前記取付孔の大径部に挿入され前記第１の方向に直交する第２の方向へ移動されて前記連結ネジの軸部が前記取付孔の小径部に挿入されることにより前記連結ベースに連結されるようにした
請求項７に記載の電子機器の取付構造。
【請求項１０】
前記連結ベースに、前記壁掛け用ブラケットが前記第１の方向へ移動されたときに前記連結ネジの前記取付孔への挿入を案内する案内部を設けた
請求項９に記載の電子機器の取付構造。
【請求項１１】
前記壁掛け用ブラケットに、前記本体に接続されるケーブルを収容するケーブル収容部を設け、
前記ケーブル収容部が前記案内部に案内されるようにした
請求項１０に記載の電子機器の取付構造。
【請求項１２】
設置状態が異なる二つのスタンドポジションと壁面に沿って配置される壁掛けポジションとが設定可能とされた本体を備え、
前記二つのスタンドポジションを設定するスタンド用ブラケットと前記壁掛けポジションを設定する壁掛け用ブラケットとが前記本体の同一面に選択的に取付可能とされ、
前記本体に対する前記スタンド用ブラケットの取付向きが変更されてそれぞれ前記二つのポジジョンの設定が行われ、
前記スタンド用ブラケットに、前記本体に取り付けられる複数の被取付部が設けられ、
前記壁掛け用ブラケットに、前記本体に取り付けられる複数の被取付部が設けられ、
前記スタンド用ブラケットの被取付部と前記壁掛け用ブラケットの被取付部との前記本体に対する取付位置が、前記二つのスタンドポジションと前記壁掛けポジションが設定される状態において何れも同一にされた
電子機器。
【発明の詳細な説明】
【技術分野】
【０００１】
本技術は電子機器の取付構造及び電子機器についての技術分野に関する。詳しくは、スタンド用ブラケットの被取付部と壁掛け用ブラケットの被取付部との本体に対する取付位置を本体のポジションに拘わらず同一にして使い勝手の向上を図る技術分野に関する。
【背景技術】
【０００２】
電子機器として、例えば、テレビジョン受像器やテレビジョン受像器に付帯して用いられアンプやチューナーを内蔵する出力機器等がある。
【０００３】
これらの電子機器には、本体にブラケットやスタンド等の部品を選択して取り付け、本体の向きや設置状態を変更することが可能とされたものがある（例えば、特許文献１参照）。
【０００４】
特許文献１に記載された電子機器にあっては、本体の各位置にスタンドやブラケットを選択して取り付け、本体の所望の向きや設置状態を設定するように構成されている。
【０００５】
例えば、本体が縦置きの状態に設置される場合にはスタンドが本体の所定の面に取り付けられ、本体が横置きの状態に設置される場合にはスタンドが本体の別の所定の面に取り付けられる。また、本体が壁掛け状態にされる場合には、壁掛け用のブラケットが本体の別の所定の面に取り付けられる。
【０００６】
【特許文献１】特開２００２−２０４０８０号公報
【発明の開示】
【発明が解決しようとする課題】
【０００７】
ところが、特許文献１に記載された電子機器にあっては、上記したように、本体の所望の向きや設置状態を設定するために、スタンドやブラケットをそれぞれ本体の各面に取り付ける必要がある。
【０００８】
従って、本体の各面毎に、例えば、ネジ止め用の取付穴を形成する必要があり、その分、本体の製造コストが高くなると言う問題がある。
【０００９】
また、本体の向きや設置状態を変更する毎にスタンドやブラケットを異なる位置に取り付ける必要があるため、スタンドやブラケットの取付作業が繁雑であり、使い勝手の向上を図ることができないと言う問題もある。
【００１０】
そこで、本技術電子機器の取付構造及び電子機器は、上記した問題点を克服し、製造コストの低減及び使い勝手の向上を図ることを課題とする。
【課題を解決するための手段】
【００１１】
電子機器の取付構造は、上記した課題を解決するために、本体において設置状態が異なる二つのスタンドポジションと壁面に沿って配置される壁掛けポジションとが設定可能とされ、前記二つのスタンドポジションを設定するスタンド用ブラケットと前記壁掛けポジションを設定する壁掛け用ブラケットとが前記本体の同一面に選択的に取付可能とされ、前記本体に対する前記スタンド用ブラケットの取付向きが変更されてそれぞれ前記二つのスタンドポジジョンの設定が行われ、前記スタンド用ブラケットに、前記本体に取り付けられる複数の被取付部が設けられ、前記壁掛け用ブラケットに、前記本体に取り付けられる複数の被取付部が設けられ、前記スタンド用ブラケットの被取付部と前記壁掛け用ブラケットの被取付部との前記本体に対する取付位置が、前記二つのスタンドポジションと前記壁掛けポジションが設定される状態において何れも同一にされたものである。
【００１２】
従って、電子機器の取付構造にあっては、スタンド用ブラケットの被取付部と壁掛け用ブラケットの被取付部とがそれぞれ本体の同一の位置に取り付けられて二つのスタンドポジションと壁掛けポジションが設定される。
【００１３】
上記した電子機器の取付構造においては、前記スタンド用ブラケットに、前記本体に接続されるケーブルを収納するケーブル収納部を形成することが望ましい。
【００１４】
スタンド用ブラケットに、本体に接続されるケーブルを収納するケーブル収納部を形成することにより、スタンドポジションを設定するためのスタンド用ブラケットにケーブルが収納される。
【００１５】
上記した電子機器の取付構造においては、スタンド用ブラケットの前記取付向きが変更されてそれぞれ前記二つのスタンドポジジョンの設定が行われるようにすることが望ましい。
【００１６】
スタンド用ブラケットの取付向きが変更されてそれぞれ二つのスタンドポジジョンの設定が行われるようにすることにより、二つのスタンドポジションをそれぞれ設定するために各別のスタンド用ブラケットが必要ない。
【００１７】
上記した電子機器の取付構造においては、前記スタンド用ブラケットの前記取付向きが１８０°反対側の向きとされることが望ましい。
【００１８】
スタンド用ブラケットの取付向きが１８０°反対側の向きとされることにより、本体に対するスタンド用ブラケットの取付向きが１８０°反対にされてそれぞれ二つのスタンドポジジョンの設定が行われる。
【００１９】
上記した電子機器の取付構造においては、前記壁掛け用ブラケットに、前記本体に接続されるケーブルを収容するケーブル収容部を設けることが望ましい。
【００２０】
壁掛け用ブラケットに、本体に接続されるケーブルを収容するケーブル収容部を設けることにより、壁掛けポジションを設定するための壁掛け用ブラケットにケーブルが収容される。
【００２１】
上記した電子機器の取付構造においては、前記ケーブル収容部が所定の一方向へ延びる第１の直線部と前記第１の直線部に対して直交する方向へ延びる第２の直線部とによって十字状に形成されることが望ましい。
【００２２】
ケーブル収容部が所定の一方向へ延びる第１の直線部と第１の直線部に対して直交する方向へ延びる第２の直線部とによって十字状に形成されることにより、ケーブルが直線状又は屈曲された状態でケーブル収容部に収容される。
【００２３】
上記した電子機器の取付構造においては、前記壁面に取り付けられロック用突部を有する連結ベースが設けられ、前記壁掛け用ブラケットにロック用係合部を有する被ロック片が設けられ、前記本体に取り付けられた前記壁掛け用ブラケットが前記連結ベースに連結されて前記本体が前記壁掛けポジションに設定されると共に前記壁掛け用ブラケットの前記連結ベースに対する連結時に前記被ロック片のロック用係合部が前記ロック用突部に係合されて前記本体が前記壁掛けポジションに保持されるようにすることが望ましい。
【００２４】
壁掛け用ブラケットの連結ベースに対する連結時に被ロック片のロック用係合部がロック用突部に係合されて本体が壁掛けポジションに保持されるようにすることにより、ロック用突部によって壁掛け用ブラケットの移動が規制される。
【００２５】
上記した電子機器の取付構造においては、前記被ロック片が弾性変形可能とされ、前記壁掛け用ブラケットが前記連結ベースに近付く第１の方向と前記第１の方向に直交する第２の方向とへ順に移動されることにより前記連結ベースに連結され、前記壁掛け用ブラケットが前記第１の方向へ移動されたときに前記被ロック片が弾性変形され前記第２の方向へ移動されたときに前記被ロック片が弾性復帰されて前記被ロック片のロック用係合部が前記ロック用突部に係合されるようにすることが望ましい。
【００２６】
壁掛け用ブラケットが第１の方向へ移動されたときに被ロック片が弾性変形され第２の方向へ移動されたときに被ロック片が弾性復帰されて被ロック片のロック用係合部がロック用突部に係合されるようにすることにより、壁掛け用ブラケットを連結ベースに連結するときに同時に壁掛け用ブラケットがロックされる。
【００２７】
上記した電子機器の取付構造においては、前記壁掛け用ブラケットに結合され頭部と軸部を有する連結ネジを設け、前記連結ベースに大径部と大径部より径が小さい小径部とが連続して形成された取付孔を形成し、前記大径部が前記頭部の径より大きくされ前記小径部が前記頭部の径より小さく前記軸部の径より大きくされ、前記壁掛け用ブラケットは前記連結ベースに近付く第１の方向へ移動されて前記連結ネジの頭部が前記取付孔の大径部に挿入され前記第１の方向に直交する第２の方向へ移動されて前記連結ネジの軸部が前記取付孔の小径部に挿入されることにより前記連結ベースに連結されるようにすることが望ましい。
【００２８】
連結ベースに近付く第１の方向へ移動されて連結ネジの頭部が取付孔の大径部に挿入され第２の方向へ移動されて連結ネジの軸部が取付孔の小径部に挿入されることにより、取付孔への連結ネジの挿入によって壁掛けポジションが設定される。
【００２９】
上記した電子機器の取付構造においては、前記連結ベースに、前記壁掛け用ブラケットが前記第１の方向へ移動されたときに前記連結ネジの前記取付孔への挿入を案内する案内部を設けることが望ましい。
【００３０】
連結ベースに、壁掛け用ブラケットが第１の方向へ移動されたときに連結ネジの取付孔への挿入を案内する案内部を設けることにより、壁掛け用ブラケットが案内部に案内されて壁掛けポジションが設定される。
【００３１】
上記した電子機器の取付構造においては、前記壁掛け用ブラケットに、前記本体に接続されるケーブルを収容するケーブル収容部を設け、前記ケーブル収容部が前記案内部に案内されるようにすることが望ましい。
【００３２】
壁掛け用ブラケットに、本体に接続されるケーブルを収容するケーブル収容部を設け、ケーブル収容部が案内部に案内されるようにすることにより、ケーブル収容部が案内部に案内されて壁掛けポジションが設定される。
【００３３】
電子機器は、上記した課題を解決するために、設置状態が異なる二つのスタンドポジションと壁面に沿って配置される壁掛けポジションとが設定可能とされた本体を備え、前記二つのスタンドポジションを設定するスタンド用ブラケットと前記壁掛けポジションを設定する壁掛け用ブラケットとが前記本体の同一面に選択的に取付可能とされ、前記本体に対する前記スタンド用ブラケットの取付向きが変更されてそれぞれ前記二つのポジジョンの設定が行われ、前記スタンド用ブラケットに、前記本体に取り付けられる複数の被取付部が設けられ、前記壁掛け用ブラケットに、前記本体に取り付けられる複数の被取付部が設けられ、前記スタンド用ブラケットの被取付部と前記壁掛け用ブラケットの被取付部との前記本体に対する取付位置が、前記二つのスタンドポジションと前記壁掛けポジションが設定される状態において何れも同一にされたものである。
【００３４】
従って、電子機器にあっては、スタンド用ブラケットの被取付部と壁掛け用ブラケットの被取付部とがそれぞれ本体の同一の位置に取り付けられて二つのスタンドポジションと壁掛けポジションが設定される。
【発明の効果】
【００３５】
本技術電子機器の取付構造は、本体において設置状態が異なる二つのスタンドポジションと壁面に沿って配置される壁掛けポジションとが設定可能とされ、前記二つのスタンドポジションを設定するスタンド用ブラケットと前記壁掛けポジションを設定する壁掛け用ブラケットとが前記本体の同一面に選択的に取付可能とされ、前記本体に対する前記スタンド用ブラケットの取付向きが変更されてそれぞれ前記二つのスタンドポジジョンの設定が行われ、前記スタンド用ブラケットに、前記本体に取り付けられる複数の被取付部が設けられ、前記壁掛け用ブラケットに、前記本体に取り付けられる複数の被取付部が設けられ、前記スタンド用ブラケットの被取付部と前記壁掛け用ブラケットの被取付部との前記本体に対する取付位置が、前記二つのスタンドポジションと前記壁掛けポジションが設定される状態において何れも同一にされている。
【００３６】
従って、本体の向きや設置状態を変更する毎にスタンド用ブラケットや壁掛け用ブラケットを本体の異なる位置に取り付ける必要がないため、本体の各面にネジ穴等の取付部を形成する必要がなく、その分、電子機器の製造コストの低減を図ることができる。
【００３７】
また、本体の向きや設置状態を変更するときにスタンド用ブラケットの被取付部と壁掛け用ブラケットの被取付部とを常に本体の同じ位置に取り付ければよく、本体に対するスタンド用ブラケットと壁掛け用ブラケットの取付作業が容易であり、使い勝手の向上を図ることができる。
【００３８】
請求項２に記載した技術にあっては、前記スタンド用ブラケットに、前記本体に接続されるケーブルを収納するケーブル収納部を形成している。
【００３９】
従って、ケーブルの散在を防止するための専用の部材を必要とせず、部品点数の削減を図った上でケーブルの散在を防止することができる。
【００４０】
請求項３に記載した技術にあっては、前記スタンド用ブラケットの前記取付向きが変更されてそれぞれ前記二つのスタンドポジジョンの設定が行われるようにしている。
【００４１】
従って、二つのスタンドポジションをそれぞれ設定するために各別のスタンド用ブラケットが必要なく、部品点数の削減を図ることができる。
【００４２】
請求項４に記載した技術にあっては、前記スタンド用ブラケットの前記取付向きが１８０°反対側の向きとされている。
【００４３】
従って、スタンドポジションの設定の変更を容易に行うことができる。
【００４４】
請求項５に記載した技術にあっては、前記壁掛け用ブラケットに、前記本体に接続されるケーブルを収容するケーブル収容部を設けている。
【００４５】
従って、ケーブルの散在を防止するための専用の部材を必要とせず、部品点数の削減を図った上でケーブルの散在を防止することができる。
【００４６】
請求項６に記載した技術にあっては、前記ケーブル収容部が所定の一方向へ延びる第１の直線部と前記第１の直線部に対して直交する方向へ延びる第２の直線部とによって十字状に形成されている。
【００４７】
従って、ケーブルの延びる向きによらずケーブルをケーブル収容部に収容することが可能であるため、ケーブルへの負荷を低減した上でケーブルを容易に収容することができる。
【００４８】
請求項７に記載した技術にあっては、前記壁面に取り付けられロック用突部を有する連結ベースが設けられ、前記壁掛け用ブラケットにロック用係合部を有する被ロック片が設けられ、前記本体に取り付けられた前記壁掛け用ブラケットが前記連結ベースに連結されて前記本体が前記壁掛けポジションに設定されると共に前記壁掛け用ブラケットの前記連結ベースに対する連結時に前記被ロック片のロック用係合部が前記ロック用突部に係合されて前記本体が前記壁掛けポジションに保持されるようにしている。
【００４９】
従って、壁掛けポジションにおいては、ロック用突部によって本体と壁掛け用ブラケットがロックされて移動が規制されるため、壁掛けポジションにおける本体の安定した状態を確保することができる。
【００５０】
請求項８に記載した技術にあっては、前記被ロック片が弾性変形可能とされ、前記壁掛け用ブラケットが前記連結ベースに近付く第１の方向と前記第１の方向に直交する第２の方向とへ順に移動されることにより前記連結ベースに連結され、前記壁掛け用ブラケットが前記第１の方向へ移動されたときに前記被ロック片が弾性変形され前記第２の方向へ移動されたときに前記被ロック片が弾性復帰されて前記被ロック片のロック用係合部が前記ロック用突部に係合されるようにしている。
【００５１】
従って、壁掛けポジションの設定時における作業時間の短縮化及び作業性の向上を図ることができる。
【００５２】
請求項９に記載した技術にあっては、前記壁掛け用ブラケットに結合され頭部と軸部を有する連結ネジを設け、前記連結ベースに大径部と大径部より径が小さい小径部とが連続して形成された取付孔を形成し、前記大径部が前記頭部の径より大きくされ前記小径部が前記頭部の径より小さく前記軸部の径より大きくされ、前記壁掛け用ブラケットは前記連結ベースに近付く第１の方向へ移動されて前記連結ネジの頭部が前記取付孔の大径部に挿入され前記第１の方向に直交する第２の方向へ移動されて前記連結ネジの軸部が前記取付孔の小径部に挿入されることにより前記連結ベースに連結されるようにしている。
【００５３】
従って、本体の壁掛けポジションの設定作業が容易であり、作業性の向上を図ることができる。
【００５４】
請求項１０に記載した技術にあっては、前記連結ベースに、前記壁掛け用ブラケットが前記第１の方向へ移動されたときに前記連結ネジの前記取付孔への挿入を案内する案内部を設けている。
【００５５】
従って、壁掛け用ブラケットの連結ベースに対する位置合わせを容易に行うことができ、連結ネジを取付孔に確実に挿入することができる。
【００５６】
請求項１１に記載した技術にあっては、前記壁掛け用ブラケットに、前記本体に接続されるケーブルを収容するケーブル収容部を設け、前記ケーブル収容部が前記案内部に案内されるようにしている。
【００５７】
従って、壁掛け用ブラケットに、案内部に案内される専用の部分を別に設ける必要がなく、壁掛け用ブラケットの構造の簡素化及び小型化を図ることができる。
【００５８】
本技術電子機器は、設置状態が異なる二つのスタンドポジションと壁面に沿って配置される壁掛けポジションとが設定可能とされた本体を備え、前記二つのスタンドポジションを設定するスタンド用ブラケットと前記壁掛けポジションを設定する壁掛け用ブラケットとが前記本体の同一面に選択的に取付可能とされ、前記本体に対する前記スタンド用ブラケットの取付向きが変更されてそれぞれ前記二つのポジジョンの設定が行われ、前記スタンド用ブラケットに、前記本体に取り付けられる複数の被取付部が設けられ、前記壁掛け用ブラケットに、前記本体に取り付けられる複数の被取付部が設けられ、前記スタンド用ブラケットの被取付部と前記壁掛け用ブラケットの被取付部との前記本体に対する取付位置が、前記二つのスタンドポジションと前記壁掛けポジションが設定される状態において何れも同一にされている。
【００５９】
従って、本体の向きや設置状態を変更する毎にスタンド用ブラケットや壁掛け用ブラケットを本体の異なる位置に取り付ける必要がないため、本体の各面にネジ穴等の取付部を形成する必要がなく、その分、電子機器の製造コストの低減を図ることができる。
【発明を実施するための最良の形態】
【００６０】
以下に、本技術電子機器の取付構造及び電子機器を実施するための最良の形態を添付図面に従って説明する。
【００６１】
以下に示した最良の形態は、本技術電子機器をテレビジョン受像器に付帯して用いられるホームシアター用の出力機器に適用したものであり、本技術電子機器の取付構造をこの出力機器の取付構造に適用したものである。
【００６２】
尚、本技術の適用範囲はテレビジョン受像器に付帯して用いられるホームシアター用の出力機器及びこの出力機器の取付構造に限られることはない。本技術電子機器は、各種の音響装置、記録再生装置、撮像装置、画像表示装置、情報処理装置、送受信装置等に広く適用することができ、本技術電子機器の取付構造は、これらの各種の装置の取付構造に広く適用することができる。
【００６３】
［電子機器の概略構成］
電子機器（出力機器）１は、テレビジョン受像器１００やスピーカー１０１、１０１、１０２とともにホームシアターを設定するための装置であり、置き台１０００や床２０００上に載置されたり（図１参照）、壁面３０００に取り付けられる（図２参照）。
【００６４】
電子機器１は本体２を備え、本体２が後述する各種の付属品によって置き台１０００や床２０００上に載置されるスタンドポジション（図３及び図４参照）又は壁面３０００に取り付けられる壁掛けポジション（図５参照）に設定されて用いられる。スタンドポジションとしては第１のスタンドポジション（図３参照）と第２のスタンドポジション（図４参照）が存在する。
【００６５】
付属品としては、例えば、スタンド用ブラケット３、スタンド４、パネル５、壁掛け用ブラケット６、連結ベース７が設けられている（図３乃至図５参照）。
【００６６】
＜本体＞
本体２は横長の扁平な矩形状に形成され、アンプやチューナーが内蔵されており、テレビジョン受像器１００や図示しない外部機器等に接続ケーブル１０３、１０３、・・・によって接続される。
【００６７】
本体２の前面２ａの下端部には表示部８が設けられている。表示部８には、例えば、本体２の動作状態等が表示される。
【００６８】
本体２の後面２ｂにおける一方の側部には後方に開口された凹部９が形成されている（図６乃至図８参照）。凹部９はカバー１０によって開閉される。
【００６９】
凹部９の内部には各種の端子１１、１１、・・・が設けられている（図８参照）。端子１１、１１、・・・としては、例えば、アンテナ端子、光ケーブル端子、ＬＡＮ（Local Area Network）用の接続端子、ＵＳＢ（Universal Serial Bus）端子、ＨＤＭＩ（High Definition Multimedia Interface）端子、アナログビデオ端子等が設けられている。
【００７０】
カバー１０には切欠部１０ａが形成され、凹部９がカバー１０に閉塞された状態において切欠部１０ａによって凹部９と外部が連通される（図７参照）。
【００７１】
端子１１、１１、・・・には、図６に示すように、それぞれ接続ケーブル１０３、１０３、・・・の一端が接続され、接続ケーブル１０３、１０３、・・・の他端はそれぞれテレビジョン受像器１００や他の外部機器等に接続される。接続ケーブル１０３、１０３、・・・は凹部９がカバー１０に閉塞された状態において、カバー１０の切欠部１０ａを介して凹部９から外部へ引き出される（図７参照）。
【００７２】
本体２の後面２ｂには上下左右に離隔して、例えば、四つの螺穴１２、１２、・・・が形成されている（図６及び図７参照）。螺穴１２、１２、・・・は後面２ｂの中央から等間隔の位置に形成されている。
【００７３】
本体２の後面２ｂにはケーブル配置溝１３が形成されている。本体２の後面２ｂにはケーブル配置溝１３に連続して電源コネクター１４が設けられている。ケーブル配置溝１３には電源ケーブル１０４が配置され、電源ケーブル１０４の一端部に設けられた接続部１０５が電源コネクター１４に接続される。本体２には電源ケーブル１０４及び接続部１０５を介して電源が供給される。
【００７４】
本体２の一方の側面２ｃにはディスク挿脱口１５が形成されている（図３参照）。本体２の内部にはディスク挿脱口１５から記録ディスク１０６が挿入され、記録ディスク１０６に記録された情報がテレビジョン受像器１００に送出されて表示可能とされている。
【００７５】
［付属品の構造等］
以下に、上記した付属品、即ち、スタンド用ブラケット３、スタンド４、パネル５、壁掛け用ブラケット６、連結ベース７について説明する。
【００７６】
＜スタンド用ブラケット＞
スタンド用ブラケット３は本体２を第１のスタンドポジション又は第２のスタンドポジションに設定する場合に用いられ、本体２に取り付けられる。
【００７７】
スタンド用ブラケット３は、図９及び図１０に示すように、横長の形状に形成されたベース板部１６とベース板部１６から略直交する方向へ突出された突板部１７と突板部１７の先端縁に連続する閉塞板部１８と閉塞板部１８の左右に連続して設けられた側板部１９、１９とを有している。
【００７８】
ベース板部１６は浅い凹状に形成され、突板部１７に連続された側と反対側の端縁が外部と連通された開口１６ａとして形成されている。
【００７９】
ベース板部１６の内面には結合部材２０が取り付けられている。結合部材２０は下方に開口された結合穴２０ａ、２０ａを有し、結合穴２０ａ、２０ａがそれぞれベース板部１６の左右両端寄りに位置されている。結合部材２０には貫通孔２０ｂ、２０ｂ、・・・が形成されている。
【００８０】
閉塞板部１８はベース板部１６に対して傾斜され、突板部１７に連続する端縁と反対側の端縁がベース板部１６と略同一平面上に位置されている。閉塞板部１８にはネジ挿通孔１８ａ、１８ａ、・・・が形成され、ネジ挿通孔１８ａ、１８ａ、・・・は閉塞板部１８の四つの角部に位置されている。ネジ挿通孔１８ａ、１８ａ、・・・はスタンド用ブラケット３が本体２に取り付けられるときの被取付部として形成されている。ネジ挿通孔１８ａ、１８ａ、・・・は軸中心がそれぞれ結合部材２０の貫通孔２０ｂ、２０ｂ、・・・の軸中心に一致される位置に形成されている。
【００８１】
閉塞板部１８の内面には左右に離隔して保持具２１、２１が取り付けられている。保持具２１、２１は細長の板状に形成され、長手方向における一端部がそれぞれネジ止め等により閉塞板部１８に取り付けられている。
【００８２】
側板部１９、１９にはそれぞれ閉塞板部１８側と反対側に開口された挿通用切欠１９ａ、１９ａが形成されている。
【００８３】
スタンド用ブラケット３における突板部１７と閉塞板部１８と側板部１９、１９によって囲まれた空間はケーブル収納部３ａとして形成されている。
【００８４】
スタンド用ブラケット３は閉塞板部１８の外面が後面２ｂに接した状態において、図１１に示すように、貫通孔２０ｂ、２０ｂ、・・・及びネジ挿通孔１８ａ、１８ａ、・・・に順にそれぞれ挿通された取付ネジ２００、２００、・・・が螺穴１２、１２、・・・に螺合されることにより本体２に取り付けられる。
【００８５】
スタンド用ブラケット３が本体２に取り付けられた状態において、本体２の凹部９から引き出された接続ケーブル１０３、１０３、・・・は一方の側板部１９の挿通用切欠１９ａからケーブル収納部３ａに挿入され一方の保持具２１によって押さえられた状態でスタンド用ブラケット３の開口１６ａから外部へ引き出される。
【００８６】
一方、スタンド用ブラケット３が本体２に取り付けられた状態において、ケーブル配置溝１３に配置された電源ケーブル１０４は他方の側板部１９の挿通用切欠１９ａからケーブル収納部３ａに挿入され他方の保持具２１によって押さえられた状態でスタンド用ブラケット３の開口１６ａから外部へ引き出される。
【００８７】
このようにスタンド用ブラケット３には接続ケーブル１０３、１０３、・・・及び電源ケーブル１０４を収納するケーブル収納部３ａが形成されているため、接続ケーブル１０３、１０３、・・・及び電源ケーブル１０４の散在を防止することができる。
【００８８】
また、本体２のスタンドポジションを設定するためのスタンド用ブラケット３にケーブル収納部３ａが設けられているため、接続ケーブル１０３、１０３、・・・及び電源ケーブル１０４の散在を防止するための専用の部材を必要とせず、部品点数の削減を図ることができる。
【００８９】
＜スタンド＞
スタンド４は本体２を第１のスタンドポジションに設定する場合に用いられ、スタンド４にはスタンド用ブラケット３が結合される（図９及び図１２参照）。
【００９０】
スタンド４は横長の形状に形成された支持ベース２２と支持ベース２２の前面における下端部から上方へ突出された結合用突部２３、２３とから成る。結合用突部２３、２３は左右に離隔して設けられている。
【００９１】
スタンド４にはスタンド用ブラケット３が結合される。スタンド４に対するスタンド用ブラケット３の結合は、結合部材２０の結合穴２０ａ、２０ａにそれぞれ結合用突部２３、２３が挿入されて嵌合されることにより行われる。
【００９２】
＜パネル＞
パネル５は本体２を第１のスタンドポジション又は第２のスタンドポジションに設定する場合に用いられ、スタンド用ブラケット３に取り付けられる（図９及び図１２参照）。
【００９３】
パネル５は略矩形の板状に形成され、一端部に外方に開口された引出用切欠５ａを有している。
【００９４】
パネル５はネジ止めや係合等の適宜の手段によってスタンド用ブラケット３に結合される。パネル５がスタンド用ブラケット３に結合された状態においては、ケーブル収納部３ａがパネル５によって閉塞される。パネル５がスタンド用ブラケット３に結合された状態においては、開口１６ａ及び引出用切欠５ａを介してケーブル収納部３ａから接続ケーブル１０３、１０３、・・・及び電源ケーブル１０４が外部へ引き出される。
【００９５】
＜壁掛け用ブラケット＞
壁掛け用ブラケット６は本体２を壁掛けポジションに設定する場合に用いられ、本体２に取り付けられる。
【００９６】
壁掛け用ブラケット６は被取付ベース２４と被取付ベース２４から突出された被ロック片２５とが一体に形成されて成る（図１３及び図１４参照）。
【００９７】
被取付ベース２４は横長の略矩形状に形成され、上下左右両端部以外の部分が後方へ膨出されたケーブル収容部２６として設けられ、ケーブル収容部２６以外の部分がそれぞれ前後方向を向く平板部２７、２７、・・・として設けられている。
【００９８】
ケーブル収容部２６は前方へ行くに従って幅が大きくなるような溝状に形成されている。ケーブル収容部２６は十字状に形成され、上下方向に延びる第１の直線部２６ａと左右方向に延びる第２の直線部２６ｂとから成る。
【００９９】
平板部２７、２７、・・・にはそれぞれ挿通孔２７ａ、２７ａ、・・・が形成されている。挿通孔２７ａ、２７ａ、・・・は壁掛け用ブラケット６が本体２に取り付けられるときの被取付部として形成されている。
【０１００】
被ロック片２５は被取付ベース２４の上端から上方へ突出され、被取付ベース２４に対して下端部を支点として前後方向へ弾性変形可能とされている。被ロック片２５の上下方向における中央部には被作用部２８が設けられている。被作用部２８は上方へ行くに従って後方へ変位する傾斜面２８ａと傾斜面２８ａに連続し上方を向くロック用係合部２８ｂとを有している。
【０１０１】
壁掛け用ブラケット６は連結ネジ３００、３００、・・・によって本体２に取り付けられる。連結ネジ３００は一端部に設けられた頭部３０１と頭部３０１から突出された軸部３０２と軸部３０２から外方へ張り出されたフランジ状の押し当て部３０３とから成る。押し当て部３０３は外径が頭部３０１の外径より大きくされ、軸部３０２の軸方向における中間部から外方へ張り出されている。
【０１０２】
壁掛け用ブラケット６は平板部２７、２７、・・・が後面２ｂに接した状態において、挿通孔２７ａ、２７ａ、・・・にそれぞれ挿通された連結ネジ３００、３００、・・・が螺穴１２、１２、・・・に螺合されることにより本体２に取り付けられる。このとき連結ネジ３００、３００、・・・は押し当て部３０３、３０３、・・・がそれぞれ平板部２７、２７、・・・に接する状態まで螺穴１２、１２、・・・に螺合される。
【０１０３】
上記のように壁掛け用ブラケット６が本体２に取り付けられるときには、接続ケーブル１０３、１０３、・・・及び電源ケーブル１０４がケーブル収容部２６に収容される。
【０１０４】
このように壁掛け用ブラケット６には接続ケーブル１０３、１０３、・・・及び電源ケーブル１０４を収容するケーブル収容部２６が設けられているため、接続ケーブル１０３、１０３、・・・及び電源ケーブル１０４の散在を防止することができる。
【０１０５】
また、本体２の壁掛けポジションを設定するための壁掛け用ブラケット６にケーブル収容部２６が設けられているため、接続ケーブル１０３、１０３、・・・及び電源ケーブル１０４の散在を防止するための専用の部材を必要とせず、部品点数の削減を図ることができる。
【０１０６】
さらに、ケーブル収容部２６には第１の直線部２６ａと第２の直線部２６ｂが設けられているため、接続ケーブル１０３、１０３、・・・及び電源ケーブル１０４を、第１の直線部２６ａ又は第２の直線部２６ｂにおいて直線状にした状態で収容することが可能であり、また、接続ケーブル１０３、１０３、・・・及び電源ケーブル１０４を第１の直線部２６ａと第２の直線部２６ｂに跨るように屈曲させた状態で収容することも可能である。
【０１０７】
従って、接続ケーブル１０３、１０３、・・・及び電源ケーブル１０４の延びる向きによらず接続ケーブル１０３、１０３、・・・及び電源ケーブル１０４をケーブル収容部２６に収容することが可能であるため、接続ケーブル１０３、１０３、・・・及び電源ケーブル１０４への負荷を低減した上で容易に収容することができる。
【０１０８】
＜連結ベース＞
連結ベース７は本体２を壁掛けポジションに設定する場合に用いられ、壁面３０００に取り付けられる。
【０１０９】
連結ベース７は、図１２及び図１３に示すように、取付部２９と取付部２９から突出された突出部３０、３０、・・・と突出部３０、３０、・・・から突出された折返し部３１、３１、・・・とが一体に形成されて成る。
【０１１０】
取付部２９は横長の略矩形状に形成され、左右方向における中央部に上方へ突出された突部２９ａを有している。取付部２９は上下左右両端部以外の部分が後方へ膨出された案内部３２として設けられ、案内部３２以外の部分がそれぞれ前後方向を向く平面部３３、３３、・・・として設けられている。
【０１１１】
案内部３２は前方へ行くに従って幅が大きくなるような溝状に形成され、壁掛け用ブラケット６のケーブル収容部２６より幅が大きくされている。案内部３２は十字状に形成され、上下方向に延びる上下延設部３２ａと左右方向に延びる左右延設部３２ｂとから成る。
【０１１２】
平面部３３、３３、・・・にはそれぞれ挿入孔３３ａ、３３ａ、・・・が形成されている。平面部３３、３３、・・・にはそれぞれ取付孔３４、３４、・・・が形成されている。取付孔３４は大径部３４ａと大径部３４ａの下側に連続する小径部３４ｂとから成り、大径部３４ａが連結ネジ３００の頭部３０１の径より大きくされ、小径部３４ｂが頭部３０１の径より小さく軸部３０２の径より大きくされている。
【０１１３】
突出部３０、３０、・・・はそれぞれ平面部３３、３３、・・・の上下両縁から後方へ突出されている。
【０１１４】
折返し部３１、３１、・・・はそれぞれ突出部３０、３０、・・・の後縁から下方又は上方へ突出されている。折返し部３１、３１、・・・にはそれぞれ取付用挿通孔３１ａ、３１ａ、・・・が形成され、取付用挿通孔３１ａ、３１ａ、・・・はそれぞれ平面部３３、３３、・・・に形成された挿入孔３３ａ、３３ａ、・・・の真後ろに位置されている。
【０１１５】
連結ベース７には突部２９ａの上縁から前方へ突出されたロック用突部７ａが設けられている。
【０１１６】
連結ベース７は折返し部３１、３１、・・・の後面が壁面３０００に接した状態において、挿入孔３３ａ、３３ａ、・・・を介してそれぞれ取付用挿通孔３１ａ、３１ａ、・・・に挿通されたネジ部材４００、４００、・・・が壁面３０００に螺合されることにより壁面３０００に取り付けられる。連結ベース７が壁面３０００に取り付けられた状態において、ネジ部材４００、４００、・・・はそれぞれ挿入孔３３ａ、３３ａ、・・・から前方へ突出されない状態とされている。
【０１１７】
［本体のポジションの設定］
以下に、本体２のポジションの設定について説明する。
【０１１８】
＜第１のスタンドポジション＞
先ず、本体２が第１のスタンドポジションに設定される場合について説明する（図１５乃至図１７参照）。
【０１１９】
本体２が第１のスタンドポジションに設定される場合には、本体２の後面２ｂにスタンド用ブラケット３が取り付けられる（図１５参照）。スタンド用ブラケット３は閉塞板部１８の外面が後面２ｂに接した状態において、貫通孔２０ｂ、２０ｂ、・・・及びネジ挿通孔１８ａ、１８ａ、・・・に順にそれぞれ挿通された取付ネジ２００、２００、・・・が螺穴１２、１２、・・・に螺合されることにより本体２に取り付けられる。
【０１２０】
このときスタンド用ブラケット３はベース板部１６が閉塞板部１８の下方に位置する向きで本体２に取り付けられる。
【０１２１】
次いで、スタンド用ブラケット３がスタンド４に結合される（図１６参照）。スタンド４に対するスタンド用ブラケット３の結合は、結合部材２０の結合穴２０ａ、２０ａにそれぞれ結合用突部２３、２３が挿入されて嵌合されることにより行われる。
【０１２２】
続いて、パネル５がスタンド用ブラケット３に結合されることにより、本体２が第１のスタンドポジションに設定される（図１７参照）。本体２が第１のスタンドポジションに設定された状態においては、スタンド４が置き台１０００や床２０００等に載置され、本体２は前面２ａが前方に対して稍上向きの状態とされる。
【０１２３】
尚、第１のスタンドポジションの設定においては、パネル５をスタンド用ブラケット３に取り付けない状態とすることも可能である。
【０１２４】
＜第２のスタンドポジション＞
次に、本体２が第２のスタンドポジションに設定される場合について説明する（図１８及び図１９参照）。
【０１２５】
本体２が第２のスタンドポジションに設定される場合には、本体２の後面２ｂにスタンド用ブラケット３が取り付けられる（図１８参照）。スタンド用ブラケット３は閉塞板部１８の外面が後面２ｂに接した状態において、貫通孔２０ｂ、２０ｂ、・・・及びネジ挿通孔１８ａ、１８ａ、・・・に順にそれぞれ挿通された取付ネジ２００、２００、・・・が螺穴１２、１２、・・・に螺合されることにより本体２に取り付けられる。
【０１２６】
このときスタンド用ブラケット３は第１のスタンドポジションを設定する場合に対して異なる向きで本体２に取り付けられる。例えば、スタンド用ブラケット３は第１のスタンドポジションを設定する場合に対して１８０°回転され、ベース板部１６が閉塞板部１８の上方に位置する向きで本体２に取り付けられる。
【０１２７】
次いで、パネル５がスタンド用ブラケット３に結合されることにより、本体２が第２のスタンドポジションに設定される（図１９参照）。本体２が第２のスタンドポジションに設定された状態においては、パネル５が置き台１０００や床２０００等に載置され、本体２は前面２ａが上方に対して稍前向きの状態とされる。
【０１２８】
尚、第２のスタンドポジションの設定においては、パネル５をスタンド用ブラケット３に取り付けない状態とすることも可能である。この場合にはスタンド用ブラケット３が置き台１０００や床２０００等に載置される。
【０１２９】
＜壁掛けポジション＞
次に、本体２が壁掛けポジションに設定される場合について説明する（図２０乃至図２５参照）。
【０１３０】
本体２が壁掛けポジションに設定される場合には、本体２の後面２ｂに壁掛け用ブラケット６が取り付けられる（図２０及び図２１参照）。また、このとき壁面３０００には連結ベース７が取り付けられる（図２１参照）。
【０１３１】
連結ベース７は折返し部３１、３１、・・・の後面が壁面３０００に接した状態において、それぞれ取付用挿通孔３１ａ、３１ａ、・・・に挿通されたネジ部材４００、４００、・・・が壁面３０００に螺合されることにより壁面３０００に取り付けられる。
【０１３２】
壁掛け用ブラケット６は平板部２７、２７、・・・が後面２ｂに接した状態において、挿通孔２７ａ、２７ａ、・・・にそれぞれ挿通された連結ネジ３００、３００、・・・が螺穴１２、１２、・・・に螺合されることにより本体２に取り付けられる。
【０１３３】
このとき連結ネジ３００、３００、・・・は押し当て部３０３、３０３、・・・がそれぞれ平板部２７、２７、・・・に接する状態まで螺穴１２、１２、・・・に螺合されている。従って、連結ネジ３００、３００、・・・は押し当て部３０３、３０３、・・・から頭部３０１、３０１、・・・までの部分が壁掛け用ブラケット６における平面部３３、３３、・・・の後側に位置された状態とされている。
【０１３４】
次いで、本体２と壁掛け用ブラケット６を連結ベース７の前方に位置させた状態において、本体２と壁掛け用ブラケット６を後方（第１の方向）へ移動させて連結ベース７に近付けて行く。
【０１３５】
本体２と壁掛け用ブラケット６を後方へ移動させて連結ベース７に近付けたときには、図２２に示すように、連結ベース７の案内部３２によって壁掛け用ブラケット６のケーブル収容部２６が案内され、上下延設部３２ａの内側に第１の直線部２６ａが挿入され、左右延設部３２ｂの内側に第２の直線部２６ｂが挿入される。
【０１３６】
さらに本体２と壁掛け用ブラケット６を後方へ移動させることにより、連結ネジ３００、３００、・・・をそれぞれ連結ベース７の取付孔３４、３４、・・・における大径部３４ａ、３４ａ、・・・に挿入する（図２３参照）。このとき連結ネジ３００、３００、・・・の頭部３０１、３０１、・・・をそれぞれ取付孔３４、３４、・・・の後側まで挿入する。
【０１３７】
上記したように、本体２と壁掛け用ブラケット６を後方へ移動させたときに、連結ベース７の案内部３２によって壁掛け用ブラケット６のケーブル収容部２６が案内される。
【０１３８】
従って、壁掛け用ブラケット６の連結ベース７に対する位置合わせを容易に行うことができ、連結ネジ３００、３００、・・・をそれぞれ取付孔３４、３４、・・・に確実に挿入することができる。
【０１３９】
また、連結ベース７の案内部３２に案内される壁掛け用ブラケット６の部分（被案内部）がケーブル収容部２６として設けられているため、壁掛け用ブラケット６に、別に専用の被案内部を設ける必要がなく、壁掛け用ブラケット６の構造の簡素化及び小型化を図ることができる。
【０１４０】
本体２と壁掛け用ブラケット６を後方へ移動させて連結ベース７に近付けたときには、壁掛け用ブラケット６の被ロック片２５が連結ベース７のロック用突部７ａに押し付けられ、被ロック片２５が前方へ移動するように弾性変形される。このとき被ロック片２５は被作用部２８の傾斜面２８ａがロック用突部７ａに押し付けられる。
【０１４１】
続いて、本体２と壁掛け用ブラケット６を下方（第２の方向）へ移動させ、連結ネジ３００、３００、・・・の軸部３０２、３０２、・・・、即ち、頭部３０１、３０１、・・・と押し当て部３０３、３０３、・・・の間の部分を取付孔３４、３４、・・・の小径部３４ｂ、３４ｂ、・・・に挿入する（図２４参照）。このとき連結ネジ３００、３００、・・・の頭部３０１、３０１、・・・が小径部３４ｂ、３４ｂ、・・・の後側に位置されて連結ベース７の後面に係合されることにより、壁掛け用ブラケット６が連結ベース７に連結され本体２が壁掛けポジションに設定される。
【０１４２】
本体２と壁掛け用ブラケット６を下方へ移動させたときには、被ロック片２５における被作用部２８の傾斜面２８ａが連結ベース７のロック用突部７ａに摺動され、ロック用係合部２８ｂがロック用突部７ａの上側に位置されたときに被ロック片２５が弾性復帰されて後方へ移動される。壁掛けポジションが設定された状態においては、ロック用係合部２８ｂがロック用突部７ａの上側における近傍に位置される。
【０１４３】
壁掛けポジションが設定された状態において、本体２又は壁掛け用ブラケット６に上方への移動力が付与されたときには、被ロック片２５のロック用係合部２８ｂがロック用突部７ａに係合されて壁掛け用ブラケット６の上方への移動が規制されるため、本体２が壁掛けポジションに保持される。
【０１４４】
従って、壁掛けポジションにおいては、ロック用突部７ａによって本体２と壁掛け用ブラケット６がロックされて上方への移動が規制されるため、壁掛けポジションにおける本体２の安定した状態を確保することができる。
【０１４５】
また、本体２の壁掛けポジションの設定時に、壁掛け用ブラケット６を連結ベース７に連結するときに同時に壁掛け用ブラケット６がロックされるため、壁掛けポジションの設定時における作業時間の短縮化を図ることができる。
【０１４６】
さらに、壁掛け用ブラケット６を連結ベース７に連結するときに同時に壁掛け用ブラケット６がロック用突部７ａによってロックされるため、壁掛け用ブラケット６をネジ止め等によって連結ベース７に固定してロックする必要がなく、壁掛けポジションの設定時における作業性の向上を図ることができる。
【０１４７】
本体２が壁掛けポジションに設定された状態においては、本体２は前面２ａが前方を向いた状態とされる。
【０１４８】
上記したように、電子機器１にあっては、本体２の壁掛けポジションの設定が、壁掛け用ブラケット６の後方（第１の方向）及び下方（第２の方向）への移動により連結ネジ３００、３００、・・・の一部が連結ベース７の取付孔３４、３４、・・・に挿入されて行われる。
【０１４９】
従って、本体２の壁掛けポジションの設定作業が容易であり、作業性の向上を図ることができる。
【０１５０】
また、本体２と壁面３０００の間から指や手を挿入してネジ止め等により壁掛け用ブラケット６と連結ベース７を固定する必要がないため、本体２と壁面３０００の隙間を小さくすることができ、壁掛けポジションにおける薄型化を図ることができる。
【０１５１】
尚、壁掛け用ブラケット６を連結ベース７から取り外して本体２の壁掛けポジションの設定を解除するときには、被ロック片２５を弾性変形させて前方へ移動させた状態で本体２と壁掛け用ブラケット６を上方及び前方へ順に移動させて連結ネジ３００、３００、・・・をそれぞれ取付孔３４、３４、・・・から引き出すことにより行うことができる。
【０１５２】
［まとめ］
以上に記載した通り、電子機器１にあっては、スタンド用ブラケット３の被取付部（１８ａ、１８ａ、・・・）と壁掛け用ブラケット６の被取付部（２７ａ、２７ａ、・・・）との本体２に対する取付位置が、二つのスタンドポジションと壁掛けポジションが設定される状態において何れも同一にされている。
【０１５３】
従って、本体２の向きや設置状態（ポジション）を変更する毎にスタンド用ブラケット３や壁掛け用ブラケット６を本体２の異なる位置に取り付ける必要がないため、本体２の各面にネジ穴等の取付部を形成する必要がなく、その分、電子機器１の製造コストの低減を図ることができる。
【０１５４】
また、本体２の向きや設置状態を変更するときにスタンド用ブラケット３の被取付部と壁掛け用ブラケット６の被取付部とを常に本体２の同じ位置に取り付ければよく、本体２に対するスタンド用ブラケット３と壁掛け用ブラケット６の取付作業が容易であり、使い勝手の向上を図ることができる。
【０１５５】
さらに、スタンド用ブラケット３の本体２に対する取付向きが変更されて第１のスタンドポジジョンと第２のスタンドポジジョンの設定が行われるため、二つのスタンドポジションをそれぞれ設定するために各別のスタンド用ブラケットが必要なく、部品点数の削減を図ることができる。
【０１５６】
さらにまた、スタンド用ブラケット３が１８０°反対側に取付向きが変更されて第１のスタンドポジジョンと第２のスタンドポジジョンの設定が行われるため、スタンドポジションの設定の変更を容易に行うことができる。
【０１５７】
［本技術］
本技術は、以下のような構成とすることができる。
【０１５８】
（１）本体において設置状態が異なる二つのスタンドポジションと壁面に沿って配置される壁掛けポジションとが設定可能とされ、前記二つのスタンドポジションを設定するスタンド用ブラケットと前記壁掛けポジションを設定する壁掛け用ブラケットとが前記本体の同一面に選択的に取付可能とされ、前記本体に対する前記スタンド用ブラケットの取付向きが変更されてそれぞれ前記二つのスタンドポジジョンの設定が行われ、前記スタンド用ブラケットに、前記本体に取り付けられる複数の被取付部が設けられ、前記壁掛け用ブラケットに、前記本体に取り付けられる複数の被取付部が設けられ、前記スタンド用ブラケットの被取付部と前記壁掛け用ブラケットの被取付部との前記本体に対する取付位置が、前記二つのスタンドポジションと前記壁掛けポジションが設定される状態において何れも同一にされた電子機器の取付構造。
【０１５９】
（２）前記スタンド用ブラケットに、前記本体に接続されるケーブルを収納するケーブル収納部を形成した（１）に記載の電子機器の取付構造。
【０１６０】
（３）前記スタンド用ブラケットの前記取付向きが変更されてそれぞれ前記二つのスタンドポジジョンの設定が行われるようにした（１）又は（２）に記載の電子機器の取付構造。
【０１６１】
（４）前記スタンド用ブラケットの前記取付向きが１８０°反対側の向きとされた（３）に記載の電子機器の取付構造。
【０１６２】
（５）前記壁掛け用ブラケットに、前記本体に接続されるケーブルを収容するケーブル収容部を設けた（１）から（５）の何れかに記載の電子機器の取付構造。
【０１６３】
（６）前記ケーブル収容部が所定の一方向へ延びる第１の直線部と前記第１の直線部に対して直交する方向へ延びる第２の直線部とによって十字状に形成された（５）に記載の電子機器の取付構造。
【０１６４】
（７）前記壁面に取り付けられロック用突部を有する連結ベースが設けられ、前記壁掛け用ブラケットにロック用係合部を有する被ロック片が設けられ、前記本体に取り付けられた前記壁掛け用ブラケットが前記連結ベースに連結されて前記本体が前記壁掛けポジションに設定されると共に前記壁掛け用ブラケットの前記連結ベースに対する連結時に前記被ロック片のロック用係合部が前記ロック用突部に係合されて前記本体が前記壁掛けポジションに保持されるようにした（１）から（７）の何れかに記載の電子機器の取付構造。
【０１６５】
（８）前記被ロック片が弾性変形可能とされ、前記壁掛け用ブラケットが前記連結ベースに近付く第１の方向と前記第１の方向に直交する第２の方向とへ順に移動されることにより前記連結ベースに連結され、前記壁掛け用ブラケットが前記第１の方向へ移動されたときに前記被ロック片が弾性変形され前記第２の方向へ移動されたときに前記被ロック片が弾性復帰されて前記被ロック片のロック用係合部が前記ロック用突部に係合されるようにした（７）に記載の電子機器の取付構造。
【０１６６】
（９）前記壁掛け用ブラケットに結合され頭部と軸部を有する連結ネジを設け、前記連結ベースに大径部と大径部より径が小さい小径部とが連続して形成された取付孔を形成し、前記大径部が前記頭部の径より大きくされ前記小径部が前記頭部の径より小さく前記軸部の径より大きくされ、前記壁掛け用ブラケットは前記連結ベースに近付く第１の方向へ移動されて前記連結ネジの頭部が前記取付孔の大径部に挿入され前記第１の方向に直交する第２の方向へ移動されて前記連結ネジの軸部が前記取付孔の小径部に挿入されることにより前記連結ベースに連結されるようにした（７）に記載の電子機器の取付構造。
【０１６７】
（１０）前記連結ベースに、前記壁掛け用ブラケットが前記第１の方向へ移動されたときに前記連結ネジの前記取付孔への挿入を案内する案内部を設けた（９）に記載の電子機器の取付構造。
【０１６８】
（１１）前記壁掛け用ブラケットに、前記本体に接続されるケーブルを収容するケーブル収容部を設け、前記ケーブル収容部が前記案内部に案内されるようにした（１０）に記載の電子機器の取付構造。
【０１６９】
（１２）設置状態が異なる二つのスタンドポジションと壁面に沿って配置される壁掛けポジションとが設定可能とされた本体を備え、前記二つのスタンドポジションを設定するスタンド用ブラケットと前記壁掛けポジションを設定する壁掛け用ブラケットとが前記本体の同一面に選択的に取付可能とされ、前記本体に対する前記スタンド用ブラケットの取付向きが変更されてそれぞれ前記二つのポジジョンの設定が行われ、前記スタンド用ブラケットに、前記本体に取り付けられる複数の被取付部が設けられ、前記壁掛け用ブラケットに、前記本体に取り付けられる複数の被取付部が設けられ、前記スタンド用ブラケットの被取付部と前記壁掛け用ブラケットの被取付部との前記本体に対する取付位置が、前記二つのスタンドポジションと前記壁掛けポジションが設定される状態において何れも同一にされた電子機器。
【０１７０】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１７１】
【図１】図２乃至図２５と共に本技術の最良の形態を示すものであり、本図は、電子機器の本体がスタンドポジションに設定された状態で設置された一例を示す斜視図である。
【図２】電子機器の本体が壁掛けポジションに設定された状態で設置された一例を示す斜視図である。
【図３】本体が第１のスタンドポジションに設定された状態で設置された例を記録ディスクとともに示す斜視図である。
【図４】本体が第２のスタンドポジションに設定された状態で設置された例を示す側面図である。
【図５】本体が壁掛けポジションに設定された状態で設置された例を示す側面図である。
【図６】凹部が開放された状態においてケーブルが接続されている状態を示す本体の背面図である。
【図７】凹部が閉塞された状態においてケーブルが接続されている状態を示す本体の背面図である。
【図８】本体の一部を凹部が開放された状態で示す斜視図である。
【図９】スタンド用ブラケットとスタンドとパネルを示す分解斜視図である。
【図１０】スタンド用ブラケットの斜視図である。
【図１１】スタンド用ブラケットが取り付けられた状態で示す本体の背面図である。
【図１２】本体とスタンド用ブラケットとスタンドとパネルを示す分解斜視図である。
【図１３】本体と壁掛け用ブラケットと連結ベースを示す分解斜視図である。
【図１４】壁掛け用ブラケットと連結ベースを示す分解斜視図である。
【図１５】図１６及び図１７と共に第１のスタンドポジションが設定されるときの手順を示すものであり、本図は、本体にスタンド用ブラケットが取り付けられた状態を示す斜視図である。
【図１６】スタンド用ブラケットがスタンドに結合された状態を示す斜視図である。
【図１７】スタンド用ブラケットにパネルが取り付けられ第１のスタンドポジションが設定された状態を示す斜視図である。
【図１８】図１９と共に第２のスタンドポジションが設定されるときの手順を示すものであり、本図は、本体にスタンド用ブラケットが取り付けられた状態を示す斜視図である。
【図１９】スタンド用ブラケットにパネルが取り付けられ第２のスタンドポジションが設定された状態を示す斜視図である。
【図２０】図２１乃至図２５と共に壁掛けポジションが設定されるときの手順を示すものであり、本図は、連結ベースの前方に本体と壁掛け用ブラケットが位置されている状態を示す斜視図である。
【図２１】連結ベースの前方に本体と壁掛け用ブラケットが位置されている状態を示す断面図である。
【図２２】連結ベースの案内部によって壁掛け用ブラケットが案内されている状態を示す断面図である。
【図２３】本体と壁掛け用ブラケットが後方へ移動され連結ベースに形成された取付孔の大径部に連結ネジの一部が挿入された状態を示す断面図である。
【図２４】本体と壁掛け用ブラケットが下方へ移動され連結ベースに形成された取付孔の小径部に連結ネジの一部が挿入されて壁掛け用ポジションが設定された状態を示す断面図である。
【図２５】壁掛け用ポジションが設定された状態を示す斜視図である。
【符号の説明】
【０１７２】
１…電子機器、２…本体、３…スタンド用ブラケット、３ａ…ケーブル収納部、６…壁掛け用ブラケット、７…連結ベース、７ａ…ロック用突部、１８ａ…ネジ挿通孔（被取付部）、２５…被ロック片、２６…ケーブル収容部、２６ａ…第１の直線部、２６ｂ…第２の直線部、２７ａ…挿通孔（被取付部）、２８ｂ…ロック用係合部、３２…案内部、３４…取付孔、３４ａ…大径部、３４ｂ…小径部、１０３…接続ケーブル、１０４…電源ケーブル、３００…連結ネジ、３０１…頭部、３０２…軸部、３０００…壁面
【図１】
2012248750.tif 000003
【図２】
2012248750.tif 000004
【図３】
2012248750.tif 000005
【図４】
2012248750.tif 000006
【図５】
2012248750.tif 000007
【図６】
2012248750.tif 000008
【図７】
2012248750.tif 000009
【図８】
2012248750.tif 000010
【図９】
2012248750.tif 000011
【図１０】
2012248750.tif 000012
【図１１】
2012248750.tif 000013
【図１２】
2012248750.tif 000014
【図１３】
2012248750.tif 000015
【図１４】
2012248750.tif 000016
【図１５】
2012248750.tif 000017
【図１６】
2012248750.tif 000018
【図１７】
2012248750.tif 000019
【図１８】
2012248750.tif 000020
【図１９】
2012248750.tif 000021
【図２０】
2012248750.tif 000022
【図２１】
2012248750.tif 000023
【図２２】
2012248750.tif 000024
【図２３】
2012248750.tif 000025
【図２４】
2012248750.tif 000026
【図２５】
2012248750.tif 000027